(57)【要約】【課題】  金具穴に正確に打ち込める金具止用釘打機を提供する。【解決手段】  トリガアーム１９の先端部１９ａおよび中央部をそれぞれセーフティ１２の上端１２ａおよびプランジャ１７の先端と係合する位置に設け、トリガ１１の回動操作時、プランジャ１７先端に接触する中央部を支点、枢支部１８を力点としてトリガアーム１９を回動させ、トリガアーム１９の先端１９ａによりセーフティ１２を押し下げ、セーフティ１２の下方の移動が阻止された時、トリガアーム１９の先端１９ａとセーフティ１２の上端１２ａとの接触部を支点としてトリガアーム１９を回動させてプランジャ１７を押し上げ起動用スイッチ１０をＯＮさせるようにした。【選択図】  図１
2005059209.tif 000002
【特許請求の範囲】
【請求項１】
連結釘の先頭釘を打ち出すため本体内部に上下往復動可能に保持されたブレードと、本体下部に設けられブレードの往復動を案内し釘が打出される射出口を先端に有する射出部と、常時下方に押圧されるプランジャを有する起動用スイッチと、射出部に固定され、収納した連結釘を射出部に給送するマガジン部と、本体に回動可能に支持されたトリガと、トリガ内に収納され、プランジャとトリガの自由操作端の間に位置した枢支部を介してトリガ内に回転可能に収納支持されたトリガアームと、上端および下端がそれぞれトリガ近傍および射出口近傍に位置し、下死点と上死点の間をブレードの往復動方向と平行に往復動可能なごとく支持され、常時上死点側に押圧され、トリガとの協働により起動用スイッチをＯＮさせるセーフティを備えた釘打機であって、
前記トリガアームの先端部および中央部をそれぞれセーフティ上端およびプランジャ先端と係合する位置に設け、トリガの回動操作時、プランジャ先端に接触する中央部を支点、枢支部を力点としてトリガアームを回動させ、トリガアームの先端によりセーフティを押し下げ、セーフティの下方の移動が阻止された時、トリガアーム先端とセーフティ上端との接触部を支点としてトリガアームを回動させてプランジャを押し上げ起動用スイッチをＯＮさせるようにしたことを特徴とする釘打機。
【請求項２】
前記セーフティを少なくとも上部セーフティと下部セーフティにより構成し、上部セーフティが所定量以上押し下げられた時、上部セーフティと下部セーフティを切り離す切り離し手段を設けたことを特徴とする請求項１記載の釘打機。
【請求項３】
前記切り離し手段を、上部セーフティの下部に回動可能に支持され、下部セーフティの上部に設けられた凹部に嵌合する下端部を有するカム部材、カム部材の側面から突出して設けられたガイド凸部、射出部外側に設けられ、嵌入されたガイド凸部が所定量下降した時にカム部材の下端が下部セーフティの凹部から外れるようにガイド凸部の下降軌跡を変える案内溝により構成したことを特徴とする請求項２３記載の釘打機。
【請求項４】
前記射出部内の釘の先端が射出口先端から突出し、前記セーフティの下端が射出口より上方に位置させたことを特徴とする請求項１記載の釘打機。
【請求項５】
前記切り離し手段を、上部セーフティおよび下部セーフティに設けられた穴にスライド可能に係合してこれらセーフティを連結する連結体、連結体の内側端に設けられたピン、射出部に下方に行くに従って内側に傾斜するように設けられ、ピンが係合する傾斜溝により構成し、上部セーフティが所定量下降した時に連結体が下部セーフティの穴から外れるようにしたことを特徴とする請求項２記載の釘打機。
【請求項６】
本体と、本体下方に設けられ、釘が打出される射出部と、打出される釘を射出部内に供給するマガジンと、本体内に設けられ、射出部の上方に位置する打撃機構部と、本体内に設けられ、打撃機構部の動作を開始させるトリガスイッチと、先端が射出部に沿っての移動が可能な如く設けられると共に常時上死点位置に位置し、その下降が阻止された時にトリガスイッチの動作を有効とするプッシュレバーとを備え、少なくとも射出部内の打出される釘の先端を射出部先端の射出口から突出させると共にプッシュレバー先端よりも先端方向側に突出させ、所定位置に容易に打ち込めるようにしたことを特徴とする釘打機。
【発明の詳細な説明】
【技術分野】
【０００１】
本発明は例えば接合金具の穴を介して釘を打ち込む接合金具止用釘打機であって、打ち込み位置に正確に打ち込めるようにした釘打機に関するものである。
【背景技術】
【０００２】
金具止用釘打機として種々のタイプのものが提案されている。その一タイプとして、打ち出される先頭釘の先端を射出部先端の射出口先端から突出させ、常には先端が射出口上方に位置し、トリガ操作によって押し上げられるセーフティの下降が阻止された時に起動用スイッチをＯＮさせて釘打動作を開始する釘打機があり、これは例えば実公平６−４７６６５等により開示されている。
【０００３】
この釘打機は、セーフティが所定量以上押し下げられた時に起動用スイッチがＯＮしないようにするため、トリガ内に作動部、操作部を設け、セーフティの下降が阻止された時に操作部がプランジャを押し上げるように操作部の回動軌跡を変更するようにしている。
【０００４】
【特許文献１】実公平６−４７６６５号公報
【発明の開示】
【発明が解決しようとする課題】
【０００５】
前記作動部、操作部の存在によりセーフティの移動距離すなわちストロークを長くすることが困難となり、必然的にセーフティの先端を射出口よりあまり上方に位置させることができなくなる。このため釘先端の視認性が低下し、打ち込み位置に正確に打ち込むことが困難となるという問題があった。また狭いトリガ内に設けられた操作部、作動部が各々のばねに抗して複雑に運動するため、少々の寸法ずれ、摩擦による磨耗、ごみの付着等に起因して誤動作が発生する恐れがあると共に信頼性に問題があった。
【０００６】
本発明の目的は、上記した従来技術の欠点をなくし、釘先端の視認性を改善すると共に単純な構成を採用することで誤動作の恐れをなくし信頼性を向上することである。
【課題を解決するための手段】
【０００７】
上記目的は、トリガ内に枢支されたトリガアームの先端部および中央部をそれぞれセーフティ上端および起動スイッチのプランジャ先端と係合する位置に設け、トリガの回動操作時、プランジャ先端に接触する中央部を支点、枢支部を力点としてトリガアームを回動させ、トリガアームの先端によりセーフティを押し下げ、セーフティの下方の移動が阻止された時、トリガアーム先端とセーフティ上端との接触部を支点としてトリガアームを回動させてプランジャを押し上げ起動スイッチをＯＮさせるようにすることにより達成される。
【発明の効果】
【０００８】
本発明によればセーフティのストロークを長くでき、初期状態での釘先端部がセーフティ下端より離れているため、釘先端部を認識しやすく容易に金具穴にセットすることができる。すなわち打ち込み位置を正確に設定することが可能となる。
【０００９】
また、トリガ内にはトリガアームのみを設け、セーフティを上部セーフティとカム部材と下部セーフティからなる単純な構成としたため、動作の信頼性が高い。
【発明を実施するための最良の形態】
【００１０】
以下一実施形態を示した図1〜図１３を参照して本発明を説明する。釘打機本体１は、先頭釘４が打ち出される射出部５と、連結釘３を収納し射出部５に連結釘３を送るマガジン６と、射出部５内にある先頭釘４を往復動により打ち出すブレード７を内蔵した動力部８等から構成される。動力部８には、釘打機本体１を保持するハンドル９と本体１の打ち込み動作を制御する起動用スイッチ１０を備えている。起動用スイッチ１０の近傍にはハンドル部９を保持している手の指で引き操作されるトリガ１１および往復動可能なセーフティ１２の上端部１２ａが設けおよび位置している。セーフティ１２の下端部１２ｂは射出部５の先頭釘４の打出し口である射出口５ａ付近に設けられ、セーフティ１２は射出部５を構成するノーズ１３にガイドされ、下死点と上死点間を往復動可能に支持されている。
【００１１】
連結釘３は図２に示すように釘４を一定間隔に平面上に配列し連結帯３ａ等で連結したもので、釘４は上端部に円形の頭部４ａが有り、胴部４ｂは円柱形状、先端部４ｃは鋭角形状の最も代表的な形状である。
【００１２】
マガジン部６内に連結釘３が収納され、フィーダスプリングの押圧を受けたフィーダ１４がノーズ１３が形成する射出部５に先頭釘４を送り出す。射出部５内の先頭釘４は図１のように釘先端部４ｃが射出口５ａから下方に突出しており、釘先端部４ｃの位置が容易に視認できるようになっている。射出口５ａ内の釘先端部４ｃ付近には、図１に示すようにブレード７の往復方向と平行に往復動可能に支持されたセーフティ１２が設けられている。セーフティ１２は、常時ばね１５によって上死点側に押圧され、下端部１２ｂが釘先端部４ｃより上方に後退した位置に位置されている。
【００１３】
トリガ１１は回動軸１６を支点として回動操作が可能なごとく枢支されている。トリガ１１の近傍には釘打機本体１の動作を制御する起動用スイッチ１０が設けられ、起動用スイッチ１０のほぼ中央部には、周知の如く、下方に突出し上下方向に往復移動可能に支持されたプランジャ１７がある。プランジャ１７が下死点にある時は釘打機本体１は非起動状態を保ち、プランジャ１７が下死点から上死点に移動する過程において起動用スイッチ１０をONさせ釘打機本体１の打ち込み動作を開始させる。
【００１４】
トリガ１１には一端がトリガ１１に設けた枢支部１８に枢支されたトリガアーム１９が設けられ、トリガアーム１９の先端部１９ａはセーフティ１２の上端部１２ａと係合する位置に、またほぼ中央部は起動用スイッチ１０のプランジャ１７先端と係合する位置に設けられている。
【００１５】
セーフティ１２は、トリガ１１側の上部セーフティ２０、カム部材２１および射出口５ａ側の下部セーフティ２２から構成され、カム部材２１は上部セーフティ２０の下部に設けられた枢軸２０ａに枢支され、カム部材２１の下端は下部セーフティ２２の上方に設けられた嵌合凹部２２ａに嵌合している。下部セーフティ２２はノーズ１３に設けられたピン２３、ピン２４によってガイドされ、ブレード７の往復動方向と平行に移動可能に支持されている。下部セーフティ２２の嵌合凹部２２ａは上面２２ｂが下面２２ｃより出張って形成されている。カム部材２１の両側面にはガイド凸部２１ｂが対称に配されており、ガイド凸部２１ｂが射出部５の側面に設けられた案内溝５ｂに嵌入している。案内溝５ｂは、図１、図１２に示すごとく、ガイド凸部２１ｂの下方への移動時、カム部材２１が下部セーフティ２２から離れるように斜めに形成されている。
【００１６】
次に本発明釘打機の動作について説明する。接合金具２を釘止めすべく射出口５ａから突出した射出口５ａ内の釘先端部４ｃを直に接合金具穴２ａにセットする。次に釘打機本体1を起動させるべくトリガ１１の引き操作を行う。トリガ１１の引き操作によりトリガ１１が回動軸１６を中心に起動用スイッチ１０側に回動する。これによりトリガアーム１９の枢支部１８が上方に移動するためトリガアーム１９のほぼ中央部が起動用スイッチ１０のプランジャ１７先端に当接する。この結果、プランジャ１７先端部が支点となり、また枢支部１８が力点となってトリガアーム先端部１９ａがセーフティ上端部１２ａを押し下げる。しかしながら図９のようにセーフティ下端部１２ｂには接合金具２の表面２ｂがあるためセーフティ１２の下降が阻止される。この下降阻止によってセーフティ上端部１２ａが下がらないため、トリガ１１の引き操作に伴いプランジャ１７がトリガアーム１９のほぼ中央部によって押し上げられ、起動用スイッチ１０がＯＮして釘打機本体１が動作を開始して射出部５内の先頭釘４が打ち出される。
【００１７】
以上は、射出口５ａから突出した釘先端部４ｃを金具穴２ａにセットした後、トリガ１１引き操作を行った場合について説明したが、この場合射出口５ａから釘先端部４ｃが突出しているので容易に釘先端部４ｃを金具穴２ａにセットすることができる。
【００１８】
次に先頭釘４を金具穴２ａにセットしない場合すなわち射出口５ａ付近に被打込材がない場合の動作について説明する。
【００１９】
トリガ１１を引き操作すると、上記したようにトリガアーム１９の枢支部１８が移動するためトリガアーム１９の中央部がプランジャ１７先端部に当接する。従ってプランジャ１７先端部が支点となり、枢支部１８が力点となってトリガアーム先端部１９ａがセーフティ上端部１２ａを下方に押し下げ、セーフティ１２は上死点から下死点位置にばね１５に抗して移動する。結果的にプランジャ１７は下死点のままであり起動用スイッチ１０はＯＮしない。
【００２０】
セーフティ１２の下死点から上死点への移動の過程において、上部セーフティ２０の枢軸２０ａに枢支されたカム部材２１は上部セーフティ２０と共に下方に移動するが、側面に設けた２つのガイド凸部２１ｂが射出部５外側に設けられた案内溝５ｂに嵌入しているため、カム部材２１は、下方に移動するに従い、案内溝５ｂに沿って下部セーフティ２２から離れるように、すなわちカム部材２１の下端２１ａが下部セーフティ嵌合凹部２２ａから外れるように枢軸２０ａを中心に回転する。セーフティ１２が下死点付近まで下降すると図１１のようにカム部材２１の下端２１ａが下部セーフティ嵌合凹部２２ａの下面２２ｃから外れ、上面２２ｂのみに係止している状態となる。この状態ではばね２５があるため常時カム部材下端２１ａが上面２２ｂに当接している。図１３はセーフティ１２が下死点位置にあることを示しているが、この状態から射出部内釘４の釘先端部４ｃより出張ったセーフティ下端部１２ｂを被打込材に押し付けるなどして押し上げたとしても下部セーフティ２２だけがばね２５に抗して上方に移動するだけで、カム部材２１と上部セーフティ２０は移動しない。従ってトリガアーム１９が押し上げられないため起動用スイッチ１０がＯＮすることはない。
【００２１】
上記した実施形態による釘打機において、トリガ１１内にはトリガ１１に枢支されたトリガアーム１９のみしか設けられておらず、セーフティ１２の下死点側への移動が阻止されない時はプランジャ１７先端部を支点としてトリガアーム先端部１９ａがセーフティ上端部１２ａを下死点側に押し下げる構造となっているため、セーフティ１２の上死点から下死点への移動距離すなわちストロークを長くできるので、セーフティ下端部１２ｂをより上方に位置させることが可能となり、釘先端部４ｃの視認性を向上でき、打ち込み位置をより正確に設定できるようになる。またトリガアーム１９をプランジャ１７の先端を支点として回動させるようにしたので、セーフティ１２を押し下げる力を大きくでき、次のような作用効果を奏し得るようになる。すなわち上部セーフテイ２０、下部セーフティ２２、カム部材２１等にごみ等が付着し、セーフティ２０、２２が下降しにくくなったとしても下降させることが可能となり信頼性を向上できるようになる。またセーフティ２０、２２の剛性を上げるためあるいは長さ延長等により重量を増すとセーフティ２０、２２を上死点位置に保持するばね１５の荷重が大きくなるが、この場合であってもセーフティ２０、２２を確実に下降させることが可能となる。
【００２２】
図１４〜図１６は、上部セーフティ２００と下部セーフティ２２０を切り離す切り離し機構の他の実施形態を示す原理説明用の図である。上部セーフティ２００、下部セーフティ２２０に設けられた穴２００ｅ、２２０ｅにスライド可能に係合してこれらセーフティ２００、２２０を連結する連結体３０、連結体３０の内側端に設けられたピン３１、射出部５に下方に行くに従って内側に傾斜するように設けられ、ピン３１が係合する傾斜溝５ｅにより構成されている。
【００２３】
図１４に示すごとく、セーフティ２００、２２０は、連結体３０により連結され一体となって上下動する。下部セーフティ２２０の下降が阻止されずセーフティ２００、２２０が所定量以上下降すると、ピン３１が案内溝５ｅに沿って内側にスライドするため、連結体３０が下部セーフティ２２０の穴２２０ｅから外れる（図１５）。この結果釘打機本体１が動作を開始する恐れがないと共にこの後に下部セーフティ２２０が何らかの事情で押し上げられたとしても下部セーフティ２２０のみが単に上下動するだけ（図１６）であり、釘打機本体１が動作を開始することはない。
【図面の簡単な説明】
【００２４】
【図１】本発明釘打機の一実施形態を示す部分断面図。
【図２】本発明釘打機で使用される連結釘の一例を示す正面図。
【図３】図１の要部を示す拡大断面図。
【図４】図１のセーフティ周りを示す側面図
【図５】図１のカム部材の一例を示す側面図。
【図６】図５の側面図。
【図７】図５の背面図。
【図８】図５のＡ−Ａ線断面図。
【図９】釘先端部を金具穴にセットしトリガを引いた状態を示す拡大断面図。
【図１０】図5から釘打機本体が起動して釘が打ち込まれた状態を示す拡大断面図
【図１１】被打込材がない状態でトリガを操作しセーフティが下死点に下降した状態を示す拡大断面図
【図１２】図１１の側面図。
【図１３】図１１の状態から下部セーフティのみが上昇した状態を示す部分断面図。
【図１４】本発明釘打機を構成する切り離し機構の他の実施形態を示す原理説明用側面図。
【図１５】図１４の状態からセーフティが下降した状態を示す側面図。
【図１６】図１４の状態から下部セーフティのみが上昇した状態を示す側面図。
【符号の説明】
【００２５】
１は釘打機本体、３は連結釘、４は釘、５は射出部、１０は起動用スイッチ、１１はトリガ、１２はセーフティ、２１ａは案内溝、１７はプランジャ、１９はトリガアーム、２０は上部セーフティ、２１はカム部材、２２は下部セーフティ。
【図１】
2005059209.tif 000003
【図２】
2005059209.tif 000004
【図３】
2005059209.tif 000005
【図４】
2005059209.tif 000006
【図５】
2005059209.tif 000007
【図６】
2005059209.tif 000008
【図７】
2005059209.tif 000009
【図８】
2005059209.tif 000010
【図９】
2005059209.tif 000011
【図１０】
2005059209.tif 000012
【図１１】
2005059209.tif 000013
【図１２】
2005059209.tif 000014
【図１３】
2005059209.tif 000015
【図１４】
2005059209.tif 000016
【図１５】
2005059209.tif 000017
【図１６】
2005059209.tif 000018